(57)【要約】【課題】利用者本人の生体データを取得するだけで、その本人を認証することができる、非常に簡便な本人認証装置を提供する。【解決手段】挿入部（１０１）が運転者の外耳に装着された状態において、運転者の耳甲介および外耳道（２）のうちの少なくとも一つに通う血管上方の生体表面に位置決めされた、生体データ取得箇所に対向することにより、生体データ取得箇所を介して運転者の生体データを取得するバイタルサインセンサ（１０９）、アルコールセンサ（１１０）および脳波センサ（１１１）と、該それぞれのセンサにより取得された生体データを外部に送信する送信部とを備える。【選択図】図６
2020092745.tif 000002
【特許請求の範囲】
【請求項１】
利用者の耳甲介および外耳道の形状に沿って成形された挿入部と、
前記挿入部に組み込まれ、且つ、前記挿入部が前記利用者の外耳に装着された状態において、前記利用者の耳甲介および外耳道のうちの少なくとも一つの皮下に通う血管直上の生体表面に位置決めされた、生体データ取得箇所に対向することにより、当該生体データ取得箇所を介して前記利用者の生体データを取得するセンサと、
前記センサにより取得された生体データを外部に送信する送信部と
を備えることを特徴とする生体データ取得装置。
【請求項２】
前記送信部は、前記センサにて取得した前記利用者の生体データの取得数が、前記センサの数と同数である場合のみ前記センサにより取得された生体データを外部に送信する
ことを特徴とする請求項１に記載の生体データ取得装置。
【請求項３】
前記センサは、前記利用者の血圧、脈拍または体温のうちの少なくとも一つを検知するバイタルサインセンサを含む
ことを特徴とする請求項１または２の何れか一項に記載の生体データ取得装置。
【請求項４】
前記センサは、前記利用者のアルコール濃度を検知するアルコールセンサを含む
ことを特徴とする請求項１から３の何れか一項に記載の生体データ取得装置。
【請求項５】
前記センサは、前記利用者の脳波を検知する脳波センサを含む
ことを特徴とする請求項１から４の何れか一項に記載の生体データ取得装置。
【請求項６】
前記センサは、前記利用者の血圧、脈拍または体温のうちの少なくとも一つを検知するバイタルサインセンサ、前記利用者のアルコール濃度を検知するアルコールセンサおよび前記利用者の脳波を検知する脳波センサを含む
ことを特徴とする請求項１または２に記載の生体データ取得装置。
【請求項７】
前記バイタルサインセンサにより検知された前記血圧、脈拍または体温のうちの少なくとも一つが異常であるか否かを判定するバイタルサイン判定部をさらに備え、
前記送信部は、前記バイタルサインセンサにより検知された血圧、脈拍または体温のうちの少なくとも一つが異常であるとの判定結果に基づいて、前記利用者のバイタルサインが異常であることを示すバイタル判定信号を送信する
ことを特徴とする請求項６に記載の生体データ取得装置。
【請求項８】
前記アルコールセンサにより検知されたアルコール濃度が正常であるか否かを判定するアルコール濃度判定部をさらに備え、
前記送信部は、前記アルコールセンサにより検知されたアルコール濃度が正常であるとの判定結果に基づいて、前記利用者が非飲酒者であることを示すアルコール判定信号を送信する
ことを特徴とする請求項６または７に記載の生体データ取得装置。
【請求項９】
前記脳波センサにより検知された脳波が正常であるか否かを判定する脳波判定部をさらに備え、
前記送信部は、前記脳波センサにより検知された脳波が正常であるとの判定結果に基づいて、前記利用者の脳波が正常であることを示す脳波判定信号を送信する
ことを特徴とする請求項６から８の何れか一項に記載の生体データ取得装置。
【請求項１０】
前記挿入部内に配置され、有線給電又は無線給電により充電可能な充電池を備える
ことを特徴とする請求項１から９の何れか一項に記載の生体データ取得装置。
【請求項１１】
制御装置に信号を送信することにより、前記制御装置に制御対象を制御させる生体データ取得装置であって、
利用者の外耳に装着された状態において、外耳道へ音を送出する挿入部と、
前記外耳道により反射された音の波形に基づき前記利用者であるか否かを判定する音判定部と、
前記音判定部による前記利用者であるとの判定結果に基づき、前記利用者が正当な利用者であることを示す音判定信号を前記制御装置へ送信する送信部と
を備えることを特徴とする生体データ取得装置。
【請求項１２】
請求項１から１１の何れか一項に記載の生体データ取得装置と、
制御対象と、
前記生体データ取得装置から信号を受信することにより、前記制御対象を制御する制御装置と
を含むことを特徴とする制御システム。
【発明の詳細な説明】
【技術分野】
【０００１】
本発明は利用者の耳から生体データを取得する生体データ取得装置および当該生体データ取得装置を用いた制御システムに関する。
【背景技術】
【０００２】
従来の本人認証の装置としては、例えば、特許文献１に記載された技術が知られている。特許文献１には、顔画像を用いて、車両を利用しようとする利用者に対する認証を行う車両用顔画像認証装置が記載されている。特許文献１の車両用顔画像認証装置では、車両の使用が許可された使用許可者の顔画像が予め記憶されており、該使用許可者の顔画像と利用者の顔画像とを比較照合して、車両のエンジンに対して始動許可を与える。
【先行技術文献】
【特許文献】
【０００３】
【特許文献１】特開２０１４−１７７１４１号公報
【発明の概要】
【発明が解決しようとする課題】
【０００４】
しかしながら、特許文献１の車両用顔画像認証装置では、顔画像同士を比較し、一致点・不一致点を判定するという複雑な比較照合を行う必要があるため、装置構成が複雑になるという課題があった。
【０００５】
本発明の一態様は、簡単な装置構成を用いて本人認証可能な生体データ取得装置および制御システムを提供することを目的としている。
【課題を解決するための手段】
【０００６】
上記の課題を解決するために、本発明の一態様に係る生体データ取得装置は、利用者の耳甲介および外耳道の形状に沿って成形された挿入部と、前記挿入部に組み込まれ、且つ、前記挿入部が前記利用者の外耳に装着された状態において、前記利用者の耳甲介および外耳道のうちの少なくとも一つの皮下に通う血管直上の生体表面に位置決めされた、生体データ取得箇所に対向することにより、当該生体データ取得箇所を介して前記利用者の生体データを取得するセンサと、前記センサにより取得された生体データを外部に送信する送信部とを備える。
【発明の効果】
【０００７】
本発明の一態様によれば、簡単な装置構成を用いて本人認証可能な生体データ取得装置および制御システムを提供することができる。
【図面の簡単な説明】
【０００８】
【図１】（ａ）は、耳介および外耳道から構成される外耳の構造を示す横断面図、（ｂ）は、右耳の耳介の外観形状を示す外観図である。
【図２】本発明の一実施形態に係る生体データ取得装置の外観図である。
【図３】本発明の一実施形態に係る生体データ取得装置および車輌の機能構成を示すブロック図である。
【図４】本発明の一実施形態に係る生体データ取得装置および車輌の機能構成を示すブロック図である。
【図５】本発明の一実施形態に係る生体データ取得装置および車輌の機能構成を示すブロック図である。
【図６】（ａ）は、上記生体データ取得装置に含まれる挿入部の断面を示す断面図、（ｂ）は、脳波センサの配置例を示す模式図、（ｃ）は上記生体データ取得装置に含まれる挿入部の一例の断面を示す断面図である。
【図７】上記生体データ取得装置の製造工程を示すフロー図である。
【図８】上記生体データ取得装置の製造工程を示すフロー図である。
【発明を実施するための形態】
【０００９】
〔実施形態１〕
以下、本発明の一実施形態について、図１〜６を用いて詳細に説明する。以下の説明で参照する図面の記載において、同一の部分には同一の符号を付している。
【００１０】
〔耳の構造〕
図１の（ａ）は、耳介１および外耳道２から構成される外耳３の構造を示す横断面図である。図１の（ａ）に示すとおり、外耳道２は、外耳道孔（外耳道２の入口）から鼓膜４まで続く、略Ｓ字形状の管状の器官である。
【００１１】
外耳道２の長さは、一般的に２５〜３０ミリメートルであり、外耳道２の外側（鼓膜４とは反対側）には、複雑な凹凸形状を備える耳介１がある。また、外耳道２は、外耳道２の入口から始まる湾曲した部分である第一曲面と、外耳道２の中間（耳垂側の軟骨部５と骨部６の間）あたりから始まる湾曲した部分である第二曲面と、を有する。
【００１２】
第一曲面は、軟骨部５に沿う外耳道２の生体表面に形成されている湾曲面であり、第二曲面は、骨部６に沿う外耳道２の生体表面に形成されている湾曲面である。
【００１３】
図１の（ｂ）は、人間の右耳の耳介１の外観形状を示す外観図である。耳介１は、側頭部に突出しており、複雑な凹凸形状をしている扁平な器官である。また、耳介１は、耳介１の最外周縁であるＣ字状の輪郭をした耳輪をはじめとして、種々の部位により構成されており、外耳道２の入口付近には、耳甲介７、耳珠８、あるいは対珠９といった部位が存在する。
【００１４】
また、耳介１、外耳道２の皮下には深耳介動脈・浅側頭動脈、あるいはこれらを含む枝動脈が存在する。深耳介動脈は、外耳道２の表面を通う動脈である。また、浅側頭動脈は、耳介１の付け根あたりの皮膚表層を通う動脈である。
【００１５】
本発明者は、上述の耳介１および外耳道２の形状が人によってそれぞれ異なる形状、である点に注目し、指紋や顔などの生体情報を用いた個人認証と同様、耳介１および外耳道２の形状を用いることにより個人認証を行うことができると考え、本発明を発明するに至った。
【００１６】
〔生体データ取得装置の構成〕
図２は、本発明の一実施形態に係る生体データ取得装置１００の外観を示す図である。生体データ取得装置１００は、挿入部１０１と、挿入部１０１の内部に配置される、各種センサ、当該各種センサを制御する制御部１０２および生体データ取得装置１００の電源である充電池１１２と、を備える。以下、挿入部１０１、制御部１０２、制御部１０２により制御される各種センサおよび生体データ取得装置１００の電源である充電池１１２について、順に説明する。
【００１７】
＜挿入部＞
挿入部１０１は、略Ｌ字型の形状をしており、略Ｌ字型の短手側１０１ａを利用者の外耳道２の入口から外耳道２の奥（鼓膜４側）に向かって嵌め込むように装着される。すなわち、挿入部１０１は、図２に示す挿入方向Ｘの向きに沿って、外耳に装着される。
【００１８】
挿入部１０１は、図１の（ａ）および（ｂ）に示した、車輌２００の利用者（以下、「運転者」という）の耳甲介７および外耳道２の形状に沿って成形されている。このため、該運転者の外耳３に挿入部１０１が装着されると、耳甲介７および外耳道２の皮膚表面と挿入部１０１のうち耳甲介７の底面に対向する表面（外面）および外耳道２の皮膚表面に対向する表面（外面）とが隙間なく接触する。
【００１９】
＜制御部＞
図３は、本実施形態に係る生体データ取得装置１００および車輌２００の機能構成を示すブロック図である。本実施形態に係る生体データ取得装置は、制御部１０２、各種センサおよび充電池１１２を備える。
【００２０】
制御部１０２は、取得部１０３、バイタルサイン判定部１０４、アルコール濃度判定部１０５、脳波判定部１０６、送信部１０７、および管理部１０８を含む。また、制御部１０２は、バイタルサインセンサ１０９、アルコールセンサ１１０、脳波センサ１１１および充電池１１２とそれぞれ接続されている。
【００２１】
制御部１０２は、図示はしていないが、挿入部１０１の周囲壁１０１ｃ（図６の（ａ）参照）に設けられた支持部材により挿入部１０１の内部に支持されても良い。
【００２２】
［取得部］
取得部１０３は、バイタルサインセンサ１０９、アルコールセンサ１１０および脳波センサ１１１とそれぞれ信号線を介して接続されている。取得部１０３は、バイタルサインセンサ１０９、アルコールセンサ１１０および脳波センサ１１１から生体データを常時取得する。
【００２３】
［バイタルサイン判定部］
バイタルサイン判定部１０４は、信号線を介して取得部１０３と接続されており、バイタルサインセンサ１０９にて検知したバイタルサインの検知結果（信号）を、取得部１０３を介して受信する。
【００２４】
バイタルサイン判定部１０４は、該検知結果（信号）を受信すると、バイタルサインの検知結果（信号）が所定の基準値の範囲内であるか否かを判定し、該検知結果が所定の基準値の範囲外である場合、運転者のバイタルに異常があるとの判定を行う。一方、該検知結果が所定の基準値の範囲内である場合、運転者のバイタルは正常であるとの判定を行う。バイタルサイン判定部１０４は、該判定結果（信号）を送信部１０７へ送信する。
【００２５】
［アルコール濃度判定部］
アルコール濃度判定部１０５は、信号線を介して取得部１０３と接続されており、アルコールセンサ１１０にて検知したアルコール濃度の検知結果（信号）を、取得部１０３を介して受信する。
【００２６】
アルコール濃度判定部１０５は、該検知結果（信号）を受信すると、アルコール濃度が所定の基準値以下であるか否かを判定し、該検知結果が所定の基準値を超えている場合、運転者は飲酒をしている（飲酒者）との判定を行う。一方、該検知結果が所定の基準値以下である場合、運転者は飲酒をしていない（非飲酒者）との判定を行う。アルコール濃度の基準値の最大許容値は、法令で定める「酒気帯び運転」の基準となるアルコール濃度「０．１５（ｍｇ／ｌ）」とする。
【００２７】
アルコール濃度判定部１０５は、該判定結果（信号）を送信部１０７へ送信する。
【００２８】
［脳波判定部］
脳波判定部１０６は、信号線を介して取得部１０３と接続されており、脳波センサ１１１にて検知した脳波の検知結果（信号）を、取得部１０３を介して受信する。
【００２９】
脳波判定部１０６は、該検知結果（信号）を受信すると、脳波の検知結果（信号）が所定の基準値の範囲内であるか否かを判定し、該検知結果が所定の基準値の範囲外である場合、運転者の脳波に異常があるとの判定を行う。一方、該検知結果が所定の基準値の範囲内である場合、運転者の脳波は正常であるとの判定を行う。脳波判定部１０６は、該判定結果（信号）を送信部１０７へ送信する。
【００３０】
なお、バイタルサイン判定部１０４、アルコール濃度判定部１０５、および脳波判定部１０６を、車輌２００に備える構成としても良い。その場合、取得部１０３と送信部１０７とが信号線を介して接続される。上記の各判定部は受信部２０２と信号線を介して接続される。また、解析部２０３は、上記各判定部の各判定機能を備える構成としても良い。この場合、上記各判定部は不要となる。
【００３１】
次に、上記各判定部を車輌２００に備える構成とした場合の各センサの検知の流れについて以下、説明する。
【００３２】
生体データ取得装置１００が運転者の外耳３に装着されると、バイタルサインセンサ１０９、アルコールセンサ１１０および脳波センサ１１１は、常時、運転者のバイタルサイン、アルコール濃度および脳波を検知する。該検知結果（信号）は、取得部１０３から送信部１０７を介して受信部２０２へ送られる。該検知結果（信号）を受信した受信部２０２は、バイタルサイン判定部１０４、アルコール濃度判定部１０５、および脳波判定部１０６へ該検知結果（信号）を送る。
【００３３】
解析部２０３が上記各判定を行う場合は、受信部２０２から解析部２０３へ該検知結果（信号）が送られる。
【００３４】
受信部２０２から受信した該検知結果（信号）は、解析部２０３に一時的に記録され、最も古い検知結果（信号）から順に上書きされる。この場合、解析部２０３は検知結果（信号）を一時的に記録するメモリを備える構成とし、該メモリは例えば、キャッシュメモリを使用する。メモリは検知結果（信号）を一時的に記録できるものであればよく、上述のキャッシュメモリに限られない。
【００３５】
最も古い検知結果（信号）は、その記録数が所定の個数を超えた場合に上書きしても良いし、メモリの残容量が少ない場合に上書きしても良いし、メモリに記録してからの一定時間を計測し、一定時間が経過した後に上書きするとしても良い。なお、時間の計測は、例えば、車輌２００に備えられた時計（タイマ）と解析部２０３とを接続することにより行う構成とする。
【００３６】
なお、上記の各判定を行う場合の動作についてはこれまでに説明したものと同様であるため、ここでの説明は省略する。
【００３７】
［送信部］
送信部１０７は、バイタルサイン判定部１０４、アルコール濃度判定部１０５または脳波判定部１０６にて判定された判定結果（信号）をそれぞれ受信すると、該判定結果（信号）を、アンテナ１０７ａを介して受信部２０２へ常時送信する。
【００３８】
具体的には、送信部１０７は、バイタルサイン判定部１０４から、バイタルサインが異常であるとの判定結果（信号）を受信した場合、該判定結果（信号）をバイタル判定信号として受信部２０２へ常時送信する。
【００３９】
また、送信部１０７は、アルコール濃度判定部１０５から、アルコール濃度が正常であるとの判定結果（信号）を受信した場合、該受信結果（信号）をアルコール判定信号として、受信部２０２へ常時送信する。
【００４０】
さらに、送信部１０７は、脳波判定部１０６から、脳波が正常であるとの判定結果（信号）を受信した場合、該受信結果（信号）を脳波判定信号として、受信部２０２へ常時送信する。
【００４１】
送信部１０７と受信部２０２との間におけるデータ送受信は、例えば、Ｂｌｕｅｔｏｏｔｈ（登録商標）、無線ＬＡＮ等を使用した無線通信によって実行される。
【００４２】
［管理部］
管理部１０８は、充電池１１２の残容量を管理する。
【００４３】
管理部１０８は、図示はしていないが、充電池１１２の残容量が残り僅かとなった時点で無線通信を用いて、車輌２００に設けられた、スピードメータ等を備える計器板あるいはカーナビゲーションシステム等へ充電池１１２の残容量が残り僅かであることを通知する。そうすることにより、車輌２００側において充電池１１２の残容量を管理することが可能となる。
【００４４】
上述の通知は生体データ取得装置１００の送信部１０７および車輌２００の受信部２０２を用いて行っても良い。
【００４５】
また、管理部１０８が、運転者が利用するスマートフォンへ充電池１１２の残容量が残り僅かであることを通知する構成としても良い。そうすることにより、スマートフォン側において充電池１１２の残容量を管理することが可能となる。
【００４６】
上述の通知は、生体データ取得装置１００の送信部１０７を用いて行っても良いし、上述の通知を行うための送信機能を生体データ取得装置１００に別途設けても良い。
＜バイタルサインセンサ、アルコールセンサおよび脳波センサ＞
次に、生体データ取得装置１００が備えるバイタルサインセンサ１０９、アルコールセンサ１１０および脳波センサ１１１について、図３〜図６を用いて以下説明する。
【００４７】
バイタルサインセンサ１０９、アルコールセンサ１１０および脳波センサ１１１は、図６の（ａ）に示すように、挿入部１０１の内面１０１ｂに固定されている。バイタルサインセンサ１０９、アルコールセンサ１１０および脳波センサ１１１は、挿入部１０１が運転者の外耳３に装着されると、内面１０１ｂに対向する、挿入部１０１の外面１０１ｄが耳甲介７および外耳道２の生体表面（生体データ取得箇所）に直に接触する。バイタルサインセンサ１０９、アルコールセンサ１１０および脳波センサ１１１は、挿入部１０１の周囲壁１０１ｃを挟むようにして、耳甲介７または外耳道２の生体表面に対向する。
【００４８】
図６の（ｃ）は、挿入部１０１の一例の断面を示す断面図である。図６の（ｃ）に示すとおり、バイタルサインセンサ１０９、アルコールセンサ１１０および脳波センサ１１１それぞれの、生体表面に対向する面は、挿入部１０１ｅの外面１０１ｄとともに、外耳道２の形状に沿った平面を形成するように露出する構成としてもよい。
【００４９】
上記各センサの種類によって、センサの一部が露出することが好ましい場合もあり、上記構成とすることで、種々のセンサの種類に合せて挿入部１０１あるいは挿入部１０１ｅを含む生体データ取得装置を製造することができる。
【００５０】
なお、図６の（ａ）あるいは図６の（ｃ）に示すとおり、それぞれの挿入部には、周囲壁１０１ｃに囲まれた内部空間が設けられているが、当該内部空間に樹脂等が充填されていても構わない。
【００５１】
［バイタルサインセンサ］
バイタルサインセンサ１０９は、運転者の血圧、脈拍または体温のうちの少なくとも一つを検知するセンサである。なお、バイタルサイン判定部１０４は、バイタルサインセンサ１０９にて検知した血圧、脈拍または体温のうちの少なくとも一つの検知結果（信号）を、取得部１０３を介して受信する。また、バイタルサインセンサ１０９は、図４の（ａ）に示すとおり、挿入部１０１を外耳３に装着した状態において、外耳道２における生体表面に対向するよう、挿入部１０１の内部において位置決めされている。
【００５２】
バイタルサインセンサ１０９は、外耳道２における生体表面に対向すると、該生体表面の皮下に通う血管よりバイタルサインを取得する。
【００５３】
［アルコールセンサ］
アルコールセンサ１１０は、アルコール濃度を検知するセンサである。また、アルコールセンサ１１０は、図６の（ａ）に示すとおり、挿入部１０１を外耳３に装着した状態において、外耳道２における生体表面に対向するよう、挿入部１０１の内部において位置決めされている。
【００５４】
アルコールセンサ１１０は、外耳道２における生体表面に対向すると、該生体表面の汗に含まれるアルコール（エタノール）からアルコール濃度の検知を行う。
【００５５】
なお、アルコール濃度の検知が可能であれば、上記の手法に限らず、例えば、生体表面の皮下に通う血管直上の皮膚表面から血中のアルコール濃度の検知を行っても良いし、汗が蒸発することにより発生する蒸気からアルコール濃度の検知を行っても良いし、その他の手法によりアルコール濃度の検知を行っても良い。
【００５６】
汗が蒸発することにより発生する蒸気からアルコール濃度の検知を行う場合、挿入部１０１に、蒸気孔を設ける構成とする。該蒸気孔は、アルコールセンサ１１０の直上にあり、生体表面から見て、アルコールセンサ１１０の生体表面に対向する面よりも小さい貫通孔から成る。アルコールセンサ１１０は、該蒸気孔から侵入する蒸気よりアルコール濃度を検知する。
【００５７】
［脳波センサ］
脳波センサ１１１は、脳波を取得するセンサである。
【００５８】
また、図６の（ｂ）に示すとおり、挿入部１０１の内部の３箇所に、脳波センサ１１１を１つずつ組み込むことにより脳波を取得する。
【００５９】
本実施形態においては、脳波センサ１１１を挿入部１０１の内部の３箇所に組み込むものとしているが、脳波のセンシングが可能であれば、脳波センサ１１１の配置箇所および脳波センサ１１１の個数は上記に限られるものではない。
【００６０】
さらに、脳波センサ１１１は、脳波をセンシングできるものであればよく、そのセンシング手法の種類は限定されない。
【００６１】
なお、上記のバイタルサインセンサ１０９および脳波センサ１１１は、図６の（ａ）において、挿入部１０１の内部における外耳道側（外耳道２の入口よりも鼓膜４の側）に組み込まれているが、挿入部１０１の内部における耳甲介７側（外耳道２の入口の近傍）に組み込んでも良い。
【００６２】
［充電池］
充電池１１２は、図６の（ａ）に示すとおり、挿入部１０１に内蔵されおり、生体データ取得装置１００の電源として電力を供給するものである。
【００６３】
充電池１１２は、例えば、Ｌｉイオン電池、Ｎｉ‐Ｃｄ電池等であり、充電池１１２は無線給電または有線給電により充電可能である。
【００６４】
なお、充電池ではなくボタン電池等の交換可能な電池を用いる構成としてもよい。その場合は電池が交換可能なように挿入部１０１は電池ボックスを備える構成とする。
【００６５】
〔制御部の動作〕
以下、制御部１０２の動作について説明を行う。
【００６６】
［バイタルサインセンサに関する、制御部の動作］
次に、バイタルサインセンサ１０９、取得部１０３、バイタルサイン判定部１０４、送信部１０７におけるデータ取得から車輌２００へのデータ送信に係る一連の動作について以下説明する。
【００６７】
バイタルサインセンサ１０９にて取得するバイタルサインのうち、血圧とは血管の内側に生じる血液の圧力を指し、一般には、振動の拍出によって生じる血液の圧力のことを言う。
【００６８】
本実施形態において、血圧の測定データを取得する方式は、従来のオシロメトリック方式ではないため、加圧機構は必要とせず、センサによるセンシングにて血圧の測定データを取得する。
【００６９】
また、センサによるセンシングにて血圧の測定データを取得する方式としては、ＰＴＴ（Ｐｕｌｓｅ  Ｔｒａｎｓｉｔ  Ｔｉｍｅ）方式あるいはトノメトリ方式が挙げられる。
【００７０】
ＰＴＴ方式とは、脈波伝播時間（ＰＴＴ）と血圧変動との間に相関関係があるという原理を用いることで、脈波伝播時間から血圧の変動を推定することにより血圧を測定する方式である。脈波とは、心臓のポンプ作用によって生じる動脈系圧波動の伝播であり、動脈の伸縮を体表面からひずみとして捉えることによりバイタルサインセンサ１０９を介して取得するものである。
【００７１】
ＰＴＴ方式による血圧の測定は、バイタルサインセンサ１０９を生体表面の異なる二点に固定し、二点間で測定された脈波の対応する時間差から収縮期血圧を算出することにより測定するものでる。
【００７２】
上述のとおり、ＰＴＴ方式を利用して血圧を測定する場合、バイタルサインセンサ１０９を生体表面の異なる二点に固定する必要がある。
【００７３】
本実施形態においては、下記（１）、（２）および（３）のように固定して測定することを一例として示す。
【００７４】
（１）挿入部１０１に組み込まれたバイタルサインセンサ１０９と、足首あるいは手首等の血圧が測定できる箇所に配置したセンサとの二点間で測定する。
【００７５】
（２）右耳に装着される挿入部１０１に組み込まれたバイタルサインセンサ１０９と、左耳に装着される挿入部１０１に組み込まれたバイタルサインセンサ１０９との二点間で測定する。この場合、左耳用の生体データ取得装置１００および右耳用の生体データ取得装置１００からなる一組の生体データ取得装置セットを用いて測定を行うことになる。
【００７６】
（３）右耳または左耳の何れか一方に装着される挿入部１０１に組み込まれた二つのバイタルサインセンサ１０９の二点間で測定する。この場合、生体データ取得装置１００は、右耳または左耳の何れか一方にのみ装着すれば良い。
【００７７】
なお、血圧の測定には耳介１、外耳道２の皮下に通う深耳介動脈・浅側頭動脈、またはこれらを含む枝動脈が有用な部分である。
【００７８】
トノメトリ方式とは、センサを偏平な接触圧力にて動脈に押し当てて、そのセンサに抗して脈動する動脈の内圧の変動を測定して血圧を取得する方式で、一拍ごとの血圧測定が可能である。
【００７９】
本実施形態においては、運転者の耳甲介７の形状および外耳道２の形状に沿って成形された挿入部１０１の内部にバイタルサインセンサ１０９が組み込まれており、挿入部１０１を運転者の外耳３に装着すると、運転者の耳甲介７または外耳道２の皮下に通う血管とバイタルサインセンサ１０９とが対向し、また、挿入部１０１を挿入することにより、運転者の耳甲介７または外耳道２の皮下に通う血管に対して偏平な接触圧力を加えることができるため、バイタルサインセンサ１０９は血管から血圧の測定データを取得できる。
【００８０】
上述のＰＴＴ方式またはトノメトリ方式によれば、オシロメトリック方式を使用する必要がない。
【００８１】
なお、本実施形態においては、ＰＴＴ方式またはトノメトリ方式を例に挙げて説明をしたが、センサを利用した血圧の測定方式であれば、上記の方式には限定されない。
【００８２】
次に、バイタルサインセンサ１０９が脈拍を検知する場合について、以下にて説明をする。
【００８３】
脈拍とは、心臓の拍動とともに駆出された血液が血管内に生じさせる圧力の変動数であり、心臓が血液を送り出す際に、動脈に生じる拍動をいう。この拍動の回数を数えると脈拍の測定データが取得できる。
【００８４】
一定の時間内に心臓が拍動する回数を心拍数といい、通常は１分間の拍動の数で表される。
【００８５】
脈拍の測定は動脈に生じる拍動の回数を数える必要があるため、本発明の一実施形態においては、耳介１、外耳道２の皮下に通う深耳介動脈・浅側頭動脈、あるいはこれらを含む枝動脈より取得する。
【００８６】
なお、脈拍測定については、通常の脈拍測定に関して開発されている技術が用いられる。
【００８７】
次に、バイタルサインセンサ１０９が体温を検知する場合について、以下にて説明をする。
【００８８】
体温は熱源である温度測定部位（外耳道２の内側の温度を測定するのに適した鼓膜４およびその周辺）から放射される赤外線を直接測定することにより取得するため、体温を測定するためのバイタルサインセンサ１０９は鼓膜４およびその周辺に対向するように挿入部１０１の内部に組み込むことが好ましい。
【００８９】
なお、体温測定については、通常の耳式体温測定に関して開発されている技術が用いられる。
【００９０】
バイタルサインセンサ１０９は、血圧、脈拍または体温のうちの少なくとも一つの測定データを検知すると、該検知結果を取得部１０３へ送る。
【００９１】
バイタルサインセンサ１０９から該検知結果（信号）を受け取った取得部１０３は、バイタルサイン判定部１０４へ該検知結果（信号）を送り、該検知結果（信号）を受け取ったバイタルサイン判定部１０４は、該検知結果（信号）に基づく判定結果（信号）を出力し、送信部１０７へ送る。該判定結果（信号）を受信した送信部１０７は、受信部２０２へ該判定結果（信号）を送信する。
【００９２】
［アルコールセンサに関する、制御部動作］
アルコールセンサについては、取得するデータがアルコール濃度である点以外は上述のバイタルサインセンサ１０９と同様の動作となる。すなわち、アルコールセンサ１１０から該検知結果（信号）を受け取った取得部１０３は、アルコール濃度判定部１０５へ該検知結果（信号）を送り、該検知結果（信号）を受け取ったアルコール濃度判定部１０５は、該検知結果（信号）に基づく判定結果（信号）を出力し、送信部１０７へ送る。該判定結果（信号）を受信した送信部１０７は、受信部２０２へ該判定結果（信号）を送信する。
【００９３】
［脳波センサに関する、制御部動作］
脳波センサ１１１については、取得するデータが脳波である点以外は上述のバイタルサインセンサ１０９と同様の動作となる。すなわち、脳波センサ１１１から該検知結果（信号）を受け取った取得部１０３は、脳波判定部１０６へ該検知結果（信号）を送り、該検知結果（信号）を受け取った脳波判定部１０６は、該検知結果（信号）に基づく判定結果（信号）を出力し、送信部１０７へ送る。該判定結果（信号）を受信した送信部１０７は、受信部２０２へ該判定結果（信号）を送信する。
【００９４】
なお、生体データは上述の血圧、脈拍、体温、アルコール濃度あるいは脳波に限られるものではなく、人間から取得可能なデータであれば如何なるデータであってもよい。
【００９５】
〔車輌の動作〕
本実施形態に係る車輌（制御対象）２００は、図３に示すとおり、ＥＣＵ２０１、受信部２０２、解析部２０３、エンジン制御部（制御装置）２０４、エンジン２０５、運転支援装置（制御装置）２０６を備える。
【００９６】
エンジン制御部２０４は、解析部２０３から取得した結果（信号）に従ってエンジン２０５の駆動を制御する。
【００９７】
運転支援装置２０６は、解析部２０３から取得した結果（信号）に従って安全運転に繋がるように運転を支援する。
【００９８】
受信部２０２は、送信部１０７からの判定結果（信号）を、アンテナ２０２ａを介して受信すると、該判定結果（信号）を解析部２０３に送る。
【００９９】
解析部２０３は、該判定結果（信号）に応じて、エンジン２０５の駆動の可不可を信号として出力し、該信号をエンジン制御部２０４へ送信する。また、解析部２０３は、判定結果（信号）の内容に応じて、運転支援の要否を信号として出力し、該信号を運転支援装置２０６へ送信する。
【０１００】
解析部２０３は、エンジン制御部２０４または運転支援装置２０６の何れかに信号を送信するのかを、解析部２０３にて受信した信号を解析する時点において、判断する。当該判断は、エンジン２０５が既に駆動しているのか否かに基づき実行される。
【０１０１】
車輌２００は、エンジン２０５が駆動しているか否かを判定するエンジン駆動判定部を備える。該エンジン駆動判定部は、エンジン２０５が駆動すると、解析部２０３にエンジン駆動の判定結果（信号）を送る。
【０１０２】
すなわち、解析部２０３が受信部２０２より判定結果（信号）を受信した時点において、上記エンジン駆動の判定結果（信号）を受信していれば、解析部２０３は、エンジン２０５が駆動していると判断し、運転支援の要否を信号として運転支援装置２０６へ送信する。
【０１０３】
また、解析部２０３が受信部２０２より判定結果（信号）を受信した時点において、上記エンジン駆動の判定結果（信号）を受信していなければ、解析部２０３は、エンジン２０５が駆動していないと判断し、エンジン２０５の駆動の可不可を信号としてエンジン制御部２０４へ送信する。
【０１０４】
解析部２０３によるエンジン２０５の駆動の可不可の判断は、バイタルサイン判定部１０４、アルコール濃度判定部１０５、または脳波判定部１０６のそれぞれの判定結果に基づいて判断する。
【０１０５】
具体的には、バイタルサイン判定部１０４が、運転者の血圧、脈拍または体温のうちの少なくとも一つが異常であるとの判定結果（信号）を出力した場合、解析部２０３は、該判定結果（信号）に基づいて、エンジン２０５の駆動は不可と判断し、該判断結果（信号）をエンジン制御部２０４へ送る。一方、バイタルサイン判定部１０４が、運転者の血圧、脈拍および体温全てが正常であるとの判定結果（信号）を出力した場合、解析部２０３は、該判定結果（信号）に基づいて、エンジンの駆動は可能と判断し、該判断結果（信号）をエンジン制御部２０４へ送る。
【０１０６】
また、アルコール濃度判定部１０５が、運転者は飲酒をしている（飲酒者）との判定結果（信号）出力した場合、解析部２０３は、該判定結果（信号）に基づいて、エンジンの駆動は不可と判断し、該判断結果（信号）をエンジン制御部２０４へ送る。一方、アルコール濃度判定部１０５が、運転者は飲酒をしていない（非飲酒者）との判定結果（信号）出力した場合、解析部２０３は、該判定結果（信号）に基づいて、エンジンの駆動は可能と判断し、該判断結果（信号）をエンジン制御部２０４へ送る。
【０１０７】
また、脳波判定部１０６が、運転者の脳波が異常であるとの判定結果（信号）を出力した場合、解析部２０３は、該判定結果（信号）に基づいて、エンジンの駆動は不可と判断し、該判断結果（信号）をエンジン制御部２０４へ送る。一方、脳波判定部１０６が、運転者の脳波が正常であるとの判定結果（信号）を出力した場合、解析部２０３は、該判定結果（信号）に基づいて、エンジンの駆動は可能と判断し、該判断結果（信号）をエンジン制御部２０４へ送る。
【０１０８】
エンジン制御部２０４は、解析部２０３の判断結果（信号）を受信すると、該判断結果（信号）に基づいて、エンジン２０５の駆動を開始するか否かを決定する。
【０１０９】
次に、解析部２０３による運転支援の要否の判断について説明する。解析部２０３は、バイタルサイン判定部１０４が運転者の血圧、脈拍または体温のうちの少なくとも一つが異常であるとの判定結果（信号）を出力した場合、および／または、脳波判定部１０６が運転者の脳波が異常であるとの判定結果（信号）を出力した場合、運転の支援が必要であると判断し、該判断結果（信号）を運転支援装置２０６へ送る。
【０１１０】
運転支援装置２０６は、解析部２０３による運転の支援が必要であるとの判断結果（信号）を受信すると、該判断結果（信号）に基づいて、運転支援のための制御を実行する。
【０１１１】
具体的には、運転の支援が必要であるとの信号を受信すると、適宜、アラーム等（制御対象）を作動させて運転者を覚醒させる、自動運転モード（制御対象）への切り替えを行う、あるいは、ブレーキ装置（制御対象）を作動させて減速させる、さらには強制停止させる、等の安全運転支援を行う。
【０１１２】
（実施形態１の効果）
以上の構成によれば、運転者の耳甲介７および外耳道２の形状に沿って成形されている挿入部１０１は、その運転者の外耳３に装着するとぴったりと嵌る。
【０１１３】
また、挿入部の内部には運転者本人の生体データを取得する各種センサが組み込まれており、且つ、該センサは、運転者の生体データを取得する箇所と対向する位置に組み込まれているため、運転者本人ではない第三者が挿入部１０１を外耳３に装着しても、耳甲介７および外耳道２の形状は人によってそれぞれ異なる形状であるため、生体データを取得することはできない。
【０１１４】
すなわち、挿入部１０１を外耳３に装着し、運転者の生体データを取得するだけの簡単な装置構成を用いて本人認証可能な生体データ取得装置および制御システムを提供することができる。
【０１１５】
〔実施形態２〕
本発明の実施形態２について、図４を用いて以下に説明する。なお、説明の便宜上、上記実施形態１にて説明した部材と同じ機能を有する部材については、同じ符号を付記し、その説明を繰り返さない。
【０１１６】
本実施形態における生体データ取得装置１００ａが、上記実施形態１における生体データ取得装置１００と異なる点は、図４で示すとおり、個数判定部１１３をさらに備える点である。
【０１１７】
個数判定部１１３は、予め挿入部１０１の内部に組み込まれた各種センサの数と取得部１０３にて取得した生体データの取得数とを比較し、照合するものである。
【０１１８】
図示はしていないが、生体データ取得装置１００ａは、挿入部１０１の内部に組み込まれた各種センサの数を記憶する記憶部を備える。
【０１１９】
なお、記憶部を備える構成に替えて、生体データ取得装置１００ａを運転者の外耳３に装着する度に、各種センサの数を検知する構成としてもよい。
【０１２０】
個数判定部１１３は、各種センサの数と取得部１０３にて取得した生体データの取得数とが一致すると判定した場合、個数判定部１１３は、バイタルサインセンサ１０９にて検知したバイタルサインデータをバイタルサイン判定部１０４へ、アルコールセンサ１１０にて検知したアルコールの検知結果をアルコール濃度判定部１０５へ、脳波センサ１１１にて検知した脳波データを脳波判定部１０６へそれぞれ送る。
【０１２１】
例えば、挿入部１０１の内部に組み込まれたバイタルサインセンサ１０９、アルコールセンサ１１０および脳波センサ１１１の数がそれぞれ一つである場合、センサの数は合計で３つとなる。また、取得部１０３がバイタルサインセンサ１０９、アルコールセンサ１１０および脳波センサ１１１からそれぞれ生体データを一つ取得した場合、取得した生体データの取得数は合計で３つとなる。したがって、この場合は、センサの数と取得部１０３にて取得した生体データの取得数とが一致するため、個数判定部１１３は、各種センサにて取得したデータ（信号）を各種判定部へそれぞれ送る。
【０１２２】
また、個数判定部１１３を車輌２００に備える構成としても良い。この場合の生体データ取得装置１００ａ側の動作については、図３に示す生体データ取得装置１００と同様であるため、ここでの説明は省略する。
【０１２３】
個数判定部１１３を車輌２００に備える構成とした場合、受信部２０２と解析部２０３との間に個数判定部１１３が信号線を介して接続される。
【０１２４】
受信部２０２は、各判定部からの判定結果（信号）を受信すると、該判定結果（信号）を個数判定部１１３へ送り、該判定結果（信号）を受信した個数判定部１１３は、予め挿入部１０１の内部に組み込まれた各種センサの数と受信部２０２にて受信した生体データの受信数とを比較し、照合する。この場合、車輌２００は、挿入部１０１の内部に組み込まれた各種センサの数を記憶する記憶部を備える。
【０１２５】
個数判定部１１３は、各種センサの数と受信部２０２にて受信した生体データの受信数とが一致すると判定した場合、解析部２０３へ各判定部からの判定結果（信号）を送る。
【０１２６】
個数判定部１１３に替えて、解析部２０３が個数判定部１１３の機能を備えていても良い。この場合、個数判定部１１３は不要となる。
【０１２７】
以上の構成によれば、運転者本人の生体データを取得するだけで、その本人を認証することができる、非常に簡便な本人認証の精度をさらに向上させることができる。
【０１２８】
〔実施形態３〕
本発明の実施形態３について、図５を用いて以下に説明する。なお、説明の便宜上、上記実施形態１又は２にて説明した部材と同じ機能を有する部材については、同じ符号を付記し、その説明を繰り返さない。
【０１２９】
本実施形態における生体データ取得装置１００ｂが、上記実施形態１における生体データ取得装置１００と異なる点は、図５で示すとおり、音送出部１１４、スピーカ１１５、音判定部１１６、マイク１１７をさらに備える点である。
【０１３０】
音送出部１１４は、音を送出するための指示信号をスピーカ１１５へ送信するものである。挿入部１０１が外耳３に装着されると、音送出部１１４はスピーカ１１５に音の送出を指示する指示信号を送る。スピーカ１１５は、音送出部１１４からの指示信号を受けると、人間の耳では聞こえない高周波（１８〜４８ＫＨＺ）の音を運転者の外耳道２へ送出する。
【０１３１】
音判定部１１６は、外耳道２により反射された反射音に基づいて、該反射音が生体データ取得装置の利用者である運転者本人の外耳道２の形状を示す音の波形を有しているか否かを判定する。
【０１３２】
マイク１１７は、スピーカ１１５から外耳道２に送出され、外耳道２により反射された反射音を集音する。マイク１１７が集音した反射音は信号として出力され、音判定部１１６へ送られる。
【０１３３】
音判定部１１６は、マイク１１７からの該信号を受信すると、該反射音（信号）が生体データ取得装置の利用者である運転者本人の外耳道２の特徴を示す音の波形を有しているか否かの判定を行う。該判定の結果、該反射音が運転者本人の外耳道２の特徴を示す音の波形を有していると判定する場合、音判定部１１６は該判定結果（信号）を送信部１０７へ送る。
【０１３４】
送信部１０７は、音判定部１１６から運転者本人の外耳道２の特徴を示す音の波形を有しているとの判定結果（信号）を受信した場合、各判定部から受信した判定結果（信号）を受信部２０２へ送る。
【０１３５】
以上の構成によれば、挿入部１０１を外耳に装着するだけで、その本人を認証することができる、非常に簡便な本人認証が可能となる。
【０１３６】
〔生体データ取得装置の製造方法〕
次に、上記実施形態１〜３に係る生体データ取得装置１００の製造方法について、図７および図８を用いて説明する。
【０１３７】
生体データ取得装置１００の製造工程は、運転者の外耳３の形状を表す三次元データを取得する工程と、該三次元データに基づいて、運転者の耳甲介７の形状および外耳道２の形状に沿った形状に挿入部１０１を成形する成形工程と、を含む。
【０１３８】
まず、運転者の外耳３の形状を表す三次元データ（以下、「３Ｄデータ」という。）の取得を行う（Ｓ１００）。本ステップＳ１００については、図６を用いて後ほど詳述する。
【０１３９】
次に、運転者の外耳３の形状を表す３Ｄデータを取得したのち、三次元造形装置（以下、「３Ｄプリンタ」という。）にて利用するためのスライス群データを作成する（Ｓ２００）。
【０１４０】
スライス群データが作成されたのち、該スライス群データを用いて、造形物である挿入部１０１を物理的に支持するための位置決めを行い、該位置決めした場所にサポート材を配置する。
【０１４１】
該配置処理を通じて、液滴の有無および種類などを三次元位置毎に示す吐出データの作成を行う（Ｓ３００）。
【０１４２】
該吐出データが作成されたのち、３Ｄプリンタは該吐出データに基づいて挿入部１０１の造形処理を実行する（Ｓ４００）。
【０１４３】
なお、ステップＳ４００の工程にて挿入部１０１の造形処理を実行している途中の段階で、生体データを検知するバイタルサインセンサ１０９および／または脳波センサ１１１を中間造形物に組み込む工程を含めてもよい。
【０１４４】
造形処理を実行したのち、造形処理の途中において、適宜サポート材の除去処理を行い、造形物である挿入部１０１が完成する（Ｓ５００）。
【０１４５】
（３Ｄデータ取得工程の詳細な説明）
図６は、上記ステップＳ１００の工程を詳細にしたフロー図である。
【０１４６】
３Ｄ造形データの取得は３Ｄ造形データの取得装置を装着することにより行う（Ｓ１０１）。本実施形態における、３Ｄデータの取得装置とは、運転者の外耳３の形状をスキャンする装置であり、例えば、ユナイテッドサイエンス社の提供するｅ‐ｆｉｔを利用することができる。
【０１４７】
ｅ‐ｆｉｔは、カメラとスキャナとを備えている。カメラは、外耳３を撮影する。ｅ‐ｆｉｔの利用者は、カメラの撮影画像を確認しながら、外耳３にレーザを照射し外耳３の形状データを取得する。（Ｓ１０２）。スキャナにて取得された形状データは、スキャナと接続されたパソコンに取り込まれる。取り込まれた形状データは、パソコン内にて、３Ｄ造形データへ変換される（Ｓ１０３）。
【０１４８】
なお、運転者の外耳３の形状の３Ｄデータを取得することが可能なものであれば、その手段は限定されない。
【０１４９】
また、本実施形態においては、３Ｄ造形データを取得し該データを用いて３Ｄプリンタにて挿入部１０１を造形することにより、挿入部１０１を製造することとしているが、例えば、耳の穴にシリコンを流し込み、耳甲介７および外耳道２の形状をした型枠を作成し、該型枠を用いて挿入部１０１を作成してもよい。
【０１５０】
上記の工程によれば、運転者本人の耳甲介７の形状および外耳道２の形状に沿った形状の３Ｄ造形データを生成することが可能であり、該３Ｄ造形データに基づいて運転者本人の耳甲介７の形状および外耳道２の形状に沿った形状である挿入部１０１を成形することができる。
【０１５１】
なお、上記工程においては、３Ｄ造形データを運転者本人の外耳３の形状をスキャンすることにより取得しているが、挿入部１０１を成形するための３Ｄ造形データは、運転者本人以外の人間の外耳３の形状を測定することにより取得した３Ｄ造形データであってもよい。
【０１５２】
さらに、運転者本人以外の人間の外耳３の形状を測定することにより取得した３Ｄ造形データを複数集め、該複数集めた３Ｄ造形データから種々の生体情報（例えば、年齢、性別、国籍など）に適合する３Ｄ造形データを算出することにより取得する３Ｄ造形データであってもよい。
【０１５３】
〔ソフトウェアによる実現例〕
生体データ取得装置１００の制御ブロック（特に取得部１０３、バイタルサイン判定部１０４、アルコール濃度判定部１０５、脳波判定部１０６、送信部１０７および管理部１０８）、生体データ取得装置１００ａの制御ブロック（特に取得部１０３、バイタルサイン判定部１０４、アルコール濃度判定部１０５、脳波判定部１０６、送信部１０７、管理部１０８および個数判定部１１３）、および生体データ取得装置１００ｂの制御ブロック（特に取得部１０３、バイタルサイン判定部１０４、アルコール濃度判定部１０５、脳波判定部１０６、送信部１０７、管理部１０８、音送出部１１４および音判定部１１６）は、集積回路（ＩＣチップ）等に形成された論理回路（ハードウェア）によって実現してもよいし、ソフトウェアによって実現してもよい。
【０１５４】
後者の場合、生体データ取得装置１００、生体データ取得装置１００ａおよび生体データ取得装置１００ｂは、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１５５】
なお、上述した各実施形態における車輌は、自動車の他に例えば、航空機、重機、電車、船舶などであっても良く、本発明が利用可能であればその種類は限定されない。
【０１５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１５７】
２  外耳道
３  外耳
７  耳甲介
１００、１００ａ、１００ｂ  生体データ取得装置
１０１  挿入部
１０４  バイタルサイン判定部
１０５  アルコール濃度判定部
１０６  脳波判定部
１０７  送信部
１０９  バイタルサインセンサ
１１０  アルコールセンサ
１１１  脳波センサ
１１２  充電池
１１６  音判定部
【図１】
2020092745.tif 000003
【図２】
2020092745.tif 000004
【図３】
2020092745.tif 000005
【図４】
2020092745.tif 000006
【図５】
2020092745.tif 000007
【図６】
2020092745.tif 000008
【図７】
2020092745.tif 000009
【図８】
2020092745.tif 000010